【事件の表示】
　平成　８年特許願第３３６１３６号「電子装置の遠隔制御方法及び装置並びに電子装置」拒絶査定不服審判事件〔平成　９年　７月１５日出願公開、特開平　９−１８７０８５〕について、次のとおり審決する。
【結　論】
　本件審判の請求は、成り立たない。
【理　由】
 １．手続の経緯・本願発明 
　本件出願は、平成８年１２月１６日の出願（パリ条約による優先権主張１９９５年１２月２３日、ドイツ国）であって、平成１８年５月２４日付けで拒絶査定され、同年８月２８日に審判請求がなされたものであるところ、
 本件出願の請求項１４に係る発明（以下、「本願発明」という。）は、平成１８年４月２５日付けで補正された明細書および図面の記載からみて、その特許請求の範囲の請求項１４に記載された次のとおりのものである。 
　
（本願発明）
　「【請求項１４】
　メモリと、送信回路と、受信回路と、表示ユニットと、オペレータユニットと、制御ユニットとを有し、少なくとも１つの電子装置の一体的に遠隔制御のための装置であって、
　該装置は、新規な電子装置の遠隔制御機能に関する情報データの受信後、前記情報データを前記メモリに書き込む手段と、リモコン装置と前記新規な電子装置との間の通信中にリモコンタイプコードを送信する手段とを有することを特徴とする装置。」 
　
　
２．引用例に記載された発明 
（１）原査定の拒絶の理由に引用された刊行物である特開平７−１３５６８９号公報（以下、「引用例」という。）には、「リモコン装置」として、図面と共に次の記載がある。
　
イ．「【請求項１】  被制御機器を制御する操作者によって操作されるリモコン部と、
前記リモコン部に伝送路を介して結合可能で、前記リモコン部が前記被制御機器を制御するために必要な情報を保持し、その情報を前記伝送路を介して前記リモコン部に供給して記憶させるリモコン構成情報供給部と、
を備えたことを特徴とするリモコン装置。
【請求項２】  リモコン構成情報供給部が、
リモコン部が被制御機器を制御するために必要な情報を記憶するリモコン構成情報記憶手段と、
前記リモコン構成情報記憶手段に記憶されている情報を前記リモコン部に送信するリモコン構成情報送信手段と、
を備え、
前記リモコン部が、
前記リモコン構成情報送信手段により送信された情報を受信する構成情報受信手段と、
前記リモコン構成情報受信手段により受信された情報を記憶する構成情報記憶手段と、
を備えたことを特徴とする請求項１に記載のリモコン装置。
【請求項３】  リモコン部が、被制御機器を制御するための操作用の部品を表示する操作部表示手段を備え、
リモコン構成情報記憶手段が、前記被制御機器を制御するための制御信号の他に、前記操作部表示手段により表示される操作用の部品に関する情報を記憶し、前記操作部表示手段が前記リモコン構成情報記憶手段の記憶内容に従って操作用の部品を操作者に提示する構成としたことを特徴とする請求項２に記載のリモコン装置。
【請求項４】  リモコン構成情報供給部が、被制御機器に内蔵されていることを特徴とする請求項２または請求項３に記載のリモコン装置。」（２頁１欄）
　
ロ．「【００３３】・・・（中略）・・・
（実施例３）図１０は本発明の実施例３におけるリモコン装置の構成図で、このリモコン装置は、リモコン構成情報供給部４１とリモコン部４２とを備えており、リモコン構成情報供給部４１は被制御機器４３に内蔵されている。リモコン構成情報供給部４１は、リモコン構成情報記憶手段４４と、リモコン構成情報送信手段４５と、構成情報送信要求受信手段４６とを備えており、リモコン部４２は、構成情報受信手段４７と、構成情報記憶手段４８と、操作手段４９と、リモコン信号送信手段５０と、構成情報送信要求送信手段５１と、操作部表示手段５２とを備えている。構成情報記憶手段４８は、リモコン信号記憶手段５３と、表示情報記憶手段５４とを備えており、被制御機器４３は、機器制御手段５５と、リモコン信号受信手段５６とを備えている。リモコン構成情報供給部４１は、リモコン部４２に伝送路を介して結合可能で、リモコン部４２が被制御機器４３を制御するために必要な情報を保持し、その情報を伝送路を介してリモコン部４２に供給する。リモコン部４２は、被制御機器４３を制御する操作者によって操作される。被制御機器４３は、リモコン部４２により遠隔制御される。リモコン構成情報記憶手段４４は、被制御機器４３を制御するリモコン部４２が送信すべき制御信号などのリモコン構成情報を記憶している。リモコン構成情報送信手段４５は、リモコン構成情報記憶手段４４に記憶されているリモコン構成情報をリモコン部４２に送信する。構成情報送信要求受信手段４６は、構成情報送信要求送信手段５１により送信されたリモコン構成情報の送信要求を受信し、リモコン構成情報送信手段４５に対してリモコン構成情報記憶手段４４に記憶されているリモコン構成情報の送出を指示する。構成情報受信手段４７は、リモコン構成情報送信手段４５により送信されたリモコン構成情報を受信する。構成情報記憶手段４８は、構成情報受信手段４７により受信されたリモコン構成情報を記憶する。操作手段４９は、被制御機器４３を制御するために操作者により操作される。リモコン信号送信手段５０は、操作手段４９からの操作信号に基づいてリモコン信号記憶手段５３から制御信号を読み出し、被制御機器４３に送信する。構成情報送信要求送信手段５１は、リモコン部４２が被制御機器４３を制御するために必要な情報であるリモコン構成情報の送信を要求する信号を送信する。操作部表示手段５２は、リモコン部４２の操作面にソフトボタンをはじめとするユーザインタフェース用の部品などの図形を表示する。リモコン信号記憶手段５３は、リモコン部４２が送出すべき制御信号を記憶する。表示情報記憶手段５４は、操作部表示手段５２が表示すべき内容を記憶する。機器制御手段５５は、リモコン信号受信手段５６により受信された制御信号に従って被制御機器４３を実際に動作させる。リモコン信号受信手段５６は、リモコン信号送信手段５０により送信された制御信号を受信する。」
（６頁１０欄〜７頁１１欄）
　
ハ．「【００３４】図１１はリモコン部４２の正面図で、リモコン部４２は１つのケースに納められており、操作者が被制御機器４３を制御するために操作するリモコンを構成している。リモコン部４２の操作面には、液晶タッチパネル５７と、設定ボタン５９とが設置されている。液晶タッチパネル５７は、表示装置としての液晶ディスプレイと入力装置としてのタッチパネルとが一体となったものであり、被制御機器４３の一例としてのＶＴＲやテレビを制御するためのソフトボタン群５８などを表示する。図１１では、ＶＴＲを制御するための操作用のソフトボタン群５８が液晶タッチパネル５７に表示されている。液晶タッチパネル５７のタッチパネルは操作手段４９を構成しており、液晶タッチパネル５７の液晶ディスプレイは操作部表示手段５２を構成している。設定ボタン５９は、操作者が被制御機器４３のリモコン構成情報供給部４１に対して、被制御機器４３を制御するための制御信号および液晶タッチパネル５７に表示すべきソフトボタン群５８に関する情報をリモコン部４２に送信することを要求するためのボタンであり、構成情報送信要求送信手段５１を構成している。なおリモコン構成情報記憶手段４４は、液晶タッチパネル５７が表示すべきソフトボタン群５８に関する情報と、液晶タッチパネル５７上でソフトボタン群５８のソフトボタンが押されたときにリモコン信号送信手段５０が送出すべき制御信号とを記憶している。」
（７頁１１〜１２欄）
　
ニ．「【００３５】次に上記リモコン装置の動作について、図１２および図１３のフローチャートを参照しながら説明する。いま、リモコン部４２の液晶タッチパネル５７は、図１４のように何も表示していないものとする。操作者が設定ボタン５９を押すと、構成情報送信要求送信手段５１が、構成情報送信要求受信手段４６に対してリモコン部４２が送信すべきリモコン構成情報のリモコン部４２への送信要求を送信する（ステップＳ３１）。これにより構成情報送信要求受信手段４６が、構成情報送信要求送信手段５１からの送信要求を受信し、リモコン構成情報送信手段４５に対してリモコン構成情報記憶手段４４に記憶されているソフトボタン群５８に関する情報と制御信号とのリモコン部４２への送信を指示する（ステップＳ３２）。これによりリモコン構成情報送信手段４５が、リモコン構成情報記憶手段４４に記憶されているソフトボタン群５８に関する情報と制御信号とをリモコン部４２に対して送信する（ステップＳ３３）。これにより構成情報受信手段４７が、リモコン構成情報送信手段４５によって送信されたソフトボタン群５８に関する情報と制御信号とを受信する（ステップＳ３４）。これによりリモコン信号記憶手段５３が、構成情報受信手段４７によって受信された制御信号を記憶し、表示情報記憶手段５４が、構成情報受信手段４７によって受信されたソフトボタン群５８に関する情報を記憶する（ステップＳ３５）。これにより操作部表示手段５２が、表示情報記憶手段５４に記憶されたソフトボタン群５８に関する情報を用いて、液晶タッチパネル５７にソフトボタン群５８を図１１のように表示する（ステップＳ３６）。以上の手順により、リモコン部４２は、被制御機器４３の一例としてのＶＴＲを制御するための制御信号をリモコン信号記憶手段５３に記憶し、また操作者による操作に必要なソフトボタン群５８に関する情報を表示情報記憶手段５４に記憶して、被制御機器４３を制御できる状態となっている。なお、液晶タッチパネル５７に表示されているソフトボタン群５８の各ソフトボタンは、リモコン信号記憶手段５３に記憶された制御信号に対応付けられている。
【００３６】次に操作者が、ソフトボタン群５８のいずれかのソフトボタンを押すと、操作手段４９が、リモコン信号送信手段５０に対して制御信号の送信を指示する（ステップＳ４１）。これによりリモコン信号送信手段５０が、操作手段４９からの指示に従ってリモコン信号記憶手段５３に記憶された制御信号を被制御機器４３に対して送信する（ステップＳ４２）。これによりリモコン信号受信手段５６が、リモコン部４２からの制御信号を受信する（ステップＳ４３）。これにより機器制御手段５５が、リモコン信号受信手段５６により受信された制御信号に対応する制御を行い（ステップＳ４４）、被制御機器４３を動作させる。
【００３７】なお被制御機器４３がテレビの場合には、上記と同様の手順で動作し、図１５のように液晶タッチパネル５７にテレビ制御用のソフトボタン群６０を表示し、それぞれに対応する制御信号が割り当てられたリモコン部４２が構成される。このように、想定される各種被制御機器４３を制御するための制御信号のみならず、制御のためのボタンなどのユーザインタフェースを予めリモコン部４２側に用意しておく必要がなく、必要に応じて被制御機器４３に対応した制御信号およびユーザインタフェースを保有するリモコン部４２を構成することができる。したがって、例えばテレビとＶＴＲとＣＤプレーヤとチューナとを全て制御可能なリモコン装置を実現するためには、従来、テレビ用のチャンネルボタンや音量調節ボタンとＶＴＲ用の再生ボタンや停止ボタンや録画ボタンとＣＤプレーヤ用の再生ボタンや選曲ボタンとチューナ用の同調ボタンなどとのあらゆるボタン、およびそれらに対応する制御信号を全てリモコン部に用意する必要があり、さらに複数の機種に対応するためにはそれに応じて一層多くの制御信号をリモコン部に用意する必要があったが、上記実施例３のリモコン装置では、これらのボタンおよび制御信号に関する情報をリモコン部４２に予め用意する必要は一切ない。さらに上記実施例３のリモコン装置は、従来想定していなかった家電機器が現れた場合にも対応可能である。」
（７頁１２欄〜８頁１３欄）
　
ホ．「【００３８】なお上記実施例３では、液晶タッチパネル５７にソフトボタン群５８を表示したが、図１６のように、機械式のボタン群６１と液晶ディスプレイ６２とを組み合わせ、液晶ディスプレイ６２に対応するボタンの機能を表示するように構成してもよい。また、リモコン構成情報供給部４１あるいはリモコン部４２に「一般用」、「子供用」、「老人用」などのリモコンの構成に関する属性を指定する手段を設け、例えば、「老人用」を指定した場合には「一般用」よりもボタンの大きさが大きくなり、あるいは「子供用」を指定した場合には「一般用」よりも子供向きのデザインを持ったボタンなどの操作部品が液晶タッチパネル５７に表示されるように構成してもよい。
【００３９】また、液晶タッチパネル５７に表示される操作用の部品の配置や大きさなどを、操作者によってリモコン部４２側でカスタマイズできるように構成してもよい。・・・（以下略）・・・」
（８頁１３〜１４欄）
　
　上記引用例の記載及び図面ならびにこの分野における技術常識を考慮すると、
　上記ロ．において、引用例の実施例３として引用例図１０に記載のある「リモコン装置」は、「リモコン構成情報供給部４１」を内蔵する「被制御機器４３」と、これを制御するいわゆるリモコンとしての「リモコン部４２」からなるものであって、
この「リモコン部４２」には、
「被制御機器４３」側の「リモコン構成情報供給部４１」から送信されてくる「リモコン構成情報」を受信して記憶する「構成情報記憶手段４８」と、
上記「リモコン構成情報」の送信を「被制御機器４３」側の「リモコン構成情報供給部４１」に要求するための「構成情報送信要求」を送信する「構成情報送信要求送信手段５１」や、「被制御機器４３」に対する制御信号としての「リモコン信号」を送信する「リモコン信号送信手段５０」からなる『送信手段』と、
上記「リモコン構成情報」を受信する「構成情報受信手段４７」と、
「リモコン部４２の操作面にソフトボタンをはじめとするユーザインタフェース用の部品などの図形を表示」する「操作部表示手段５２」と、
「被制御機器４３を制御するために操作者により操作」される「操作手段４９」とを有するものであって、
さらに明記はないが、これらの手段を制御するための『制御手段』をも有することは技術常識である。
　そして、例えば上記ロ．の「構成情報受信手段４７は、リモコン構成情報送信手段４５により送信されたリモコン構成情報を受信する。構成情報記憶手段４８は、構成情報受信手段４７により受信されたリモコン構成情報を記憶する。」（７頁１１欄２４〜２８行）なる記載を参照すれば、「リモコン構成情報」が「構成情報記憶手段４８」に記憶されるのは、「リモコン構成情報」の『受信後』となるのは明らかであって、「構成情報記憶手段４８」に記憶する動作のための手段が存在するのも自明なことである。
　
　以上をまとめると引用例には、次の発明（以下、「引用発明」という。）が記載されている。
　
（引用発明）
「構成情報記憶手段４８と、送信手段と、構成情報受信手段４７と、操作部表示手段５２と、操作手段４９と、制御手段とを有し、少なくとも一つの被制御装置４３の遠隔制御のためのリモコン部４２であって、
　該リモコン部４２は、被制御装置４３のリモコン構成情報の受信後、前記リモコン構成情報を構成情報記憶手段４８に記憶する手段を有するリモコン部４２」
　
　
３．対比・判断 
　本願発明と引用発明とを対比する.
　まず、引用発明の「構成情報記憶手段４８」は、情報を記憶する手段であるから、本願発明の「メモリ」に相当する。
　また、引用発明の「送信手段」、「構成情報受信手段４７」、「操作部表示手段５２」、「操作手段４９」、「制御手段」は、それぞれ本願発明の「送信回路」、「受信回路」、「表示ユニット」、「オペレータユニット」、「制御ユニット」に相当するのは明らかである。
　また、引用発明の「被制御装置４３」は、引用例の例えば上記ハ．（７頁１２欄２〜３行）には「一例としてのＶＴＲやテレビ」が挙げられており、これらは「電子装置」であるから、本願発明の「電子装置」に相当する。
　また、引用発明の「リモコン構成情報」は、引用例の上記ハ．末尾の「なおリモコン構成情報記憶手段４４は、液晶タッチパネル５７が表示すべきソフトボタン群５８に関する情報と、液晶タッチパネル５７上でソフトボタン群５８のソフトボタンが押されたときにリモコン信号送信手段５０が送出すべき制御信号とを記憶している。」などの記載を参照すれば、「電子装置（被制御装置４３）の遠隔制御（リモコン）機能に関する情報（データ）」といえるものであるから、本願発明の「電子装置の遠隔制御機能に関する情報データ」、「情報データ」に相当する。
　また、引用発明の「リモコン構成情報（情報データ）を構成情報記憶手段４８（メモリ）に記憶する手段」において、「構成情報記憶手段４８（メモリ）に記憶する」とは「メモリに書き込む」動作に他ならないから、本願発明の「前記情報データを前記メモリに書き込む手段」に相当する。
　そして、引用発明の「リモコン部４２」は、引用例の上記ハ．及び図１１を見れば明らかなように「装置」として構成されているものであるから、本願発明における「リモコン装置」、「装置」に相当する。
　
以上をまとめると、本願発明と引用発明は、以下の点で一致し、また相違する。
　
（一致点）
「　メモリと、送信回路と、受信回路と、表示ユニットと、オペレータユニットと、制御ユニットとを有し、少なくとも１つの電子装置の遠隔制御のための装置であって、
　該装置は、電子装置の遠隔制御機能に関する情報データの受信後、前記情報データを前記メモリに書き込む手段を有する装置。」 
　
（相違点）
（１）本願発明は「少なくとも１つの電子装置の一体的に遠隔制御のための装置」であるのに対し、引用発明は「一体的に」との限定を欠く点。
　
（２）本願発明は「新規な電子装置の遠隔制御機能に関する情報データの受信後、前記情報データを前記メモリに書き込む手段」を有するのに対し、引用発明は「新規な」との限定を欠く点。
　
（３）本願発明は「リモコン装置と前記新規な電子装置との間の通信中にリモコンタイプコードを送信する手段」を有するのに対し、引用発明は有しない点。
　
　
　上記相違点（１）について検討する。
　まず本願発明における「一体的に」との限定の意味を検討するに、
本願明細書中の【発明の詳細な説明】には、「一体的」との記載は見あたらず、直接に本願発明の構成を説明する記載がない以上、一般的な意味として例えば、制御装置である「（リモコン）装置」が、被制御装置である「（少なくとの一つの）電子装置」を遠隔制御する動作が、制御装置と被制御装置の組として全体として「一体的」に行われる、という程度に解さざるを得ない。
　そうであるならば、これは遠隔制御における制御装置と被制御装置の間の当然の関係を述べたに過ぎないものであるから、引用発明も同様であって、格別の技術的意味を有する事項ではない。
　従って、相違点（１）は格別のものではない。
　
　上記相違点（２）の「新規な」電子装置の点について検討する。
　家庭内におけるＡＶ機器（テレビやビデオレコーダ、オーディオ装置）などの電子装置の使用状況を勘案するに、新たな、新規な利用機器としての電子装置が追加、更新されるのは日常的なことであるが、引用例の上記ニ．末尾にも「さらに上記実施例３のリモコン装置は、従来想定していなかった家電機器が現れた場合にも対応可能である。」との記載があり、引用発明に於いても「新規な電子装置」に対応することは示唆がある。
　この場合に、「リモコン部４２」（（リモコン）装置）には、未だ「新規な電子装置」に対応する「リモコン構成情報」（制御データ）は記憶されていないのであるから、必然的に最初にこれを受信することとなるのは自明なことに過ぎない。
　従って、相違点（２）も格別のものではない。
　
　上記相違点（３）について検討する。
　引用例の上記ホ．の記載を見ると、引用発明である引用例の実施例３の変形として、
「リモコン構成情報供給部４１あるいはリモコン部４２に「一般用」、「子供用」、「老人用」などのリモコンの構成に関する属性を指定する手段を設け、例えば、「老人用」を指定した場合には「一般用」よりもボタンの大きさが大きくなり、あるいは「子供用」を指定した場合には「一般用」よりも子供向きのデザインを持ったボタンなどの操作部品が液晶タッチパネル５７に表示されるように構成してもよい。」とあって、
ここで「リモコン部４２」に「一般用」、「子供用」、「老人用」などの「リモコンの構成に関する属性を指定する手段」を設けた場合を考えると、これら「リモコンの構成に関する属性」とは、「リモコン部４２」（（リモコン）装置）のリモコンとしての形式（タイプ）を表すものであることが理解できる。
　また、「リモコン部４２」側に「属性を指定する手段」を設けたのであるから、この属性に対応する「リモコン構成情報」をリモコン側で入手して「ボタンの大きさ」などを変更するには、「リモコン構成情報供給部４１」を有する「被制御機器４３」の側に上記「リモコンの構成に関する属性」（リモコンタイプ）を送信する必要があるのは引用例の構成から明らかなことであって、このような「リモコンタイプ」を送信の際にコード（符号）化して『リモコンタイプコード』とするのは慣用手段である。
　そして、上記相違点（２）の検討でも述べたと同様に、このような『リモコンタイプコード』の送信は「新規な電子装置」との通信中に必要となるのは当然であるから、結局のところ引用発明に「リモコン装置と前記新規な電子装置との間の通信中にリモコンタイプコードを送信する手段」を追加することは、引用例の上記記載から当業者であれば容易に想到し得ることである。
　
　また別の観点によれば、一般にデータ通信を行う装置間において、相互の適合性の確認などのために自分の「機種コード」などの情報を相手方に送信することは周知技術（例えば、特開平７−３０３１９０号公報【００１８】、特開平６−２１３４９６号公報【０００６】、実開平５−７００３８号公報図１）であって、この周知技術を引用発明に適用すれば、上記「機種コード」は本願発明の「リモコンタイプコード」に相当するものとなるから、相違点（３）にかかる構成を成すことは当業者であれば容易に想到し得ることでもある。
　従って、相違点（３）も格別のものではない。
　
　そして、本願発明の効果も引用発明および引用例の記載ないし上記周知例から当業者が予測し得る範囲のものである。 
　
　 
４．むすび 
　以上のとおり、本願発明は、引用発明および引用例の記載に基づいて当業者が容易に発明をすることができたものであるから、特許法第２９条第２項の規定により特許を受けることができない。 
　 
　よって、結論のとおり審決する。